(57)【要約】【課題】蓋を確実に起立状態に保持して、開いておくことができる紙箱を提供する。【解決手段】紙箱１の６面のうちの上側壁１６に、一辺を残して切目２７を設けて蓋２８を形成し、該蓋２８の基端側縁の一辺を折目２９として、該折目２９に沿って折曲可能に形成した蓋２８を備える紙箱１において、前記蓋２８に折目２９よりも後方へ突出する左右一対の舌片３１・３２を形成し、各舌片３１・３２を係止する係止片３３・３４を上側壁１６に形成した。【選択図】図３
2006036350.tif 000002
【特許請求の範囲】
【請求項１】
紙箱の６面のうちの上側壁に、一辺を残して切目を設けて蓋を形成し、該蓋の基端側縁の一辺を折目として、該折目に沿って折曲可能に形成した蓋を備える紙箱において、前記蓋に折目よりも後方へ突出する左右一対の舌片を形成し、各舌片を係止する係止片を上側壁に形成したことを特徴とする紙箱。
【請求項２】
前記上側壁に設けた折目を後方に突出する平面視円弧状に形成したことを特徴とする請求項１に記載の紙箱。
【発明の詳細な説明】
【技術分野】
【０００１】
本発明は、菓子や化粧品や小物などを収容する蓋付きの紙箱に関する。
【背景技術】
【０００２】
従来の直方体状に組み立てた紙箱において、上側壁から前壁にわたって略Ｕ字状の切目を設けて、切目のＵ字部分に蓋を形成し、該蓋を後端縁に設けた折目に沿って折曲げ可能とした紙箱が公知となっている。このような紙箱は、折目部分を谷折りに折り曲げて蓋とし、上側壁に対し起立状態とすることで、開放されるようになっているが、蓋を手で支えるなどしないと、起立状態に保持することができず、すぐに閉鎖されるようになっていた。そのため、紙箱に収容したものを繰り返して取り出すような場合には、毎回蓋を開かなければならなかった。
【０００３】
そこで、紙箱の蓋を上側壁に起立状態に保持するための技術が提案されている。この技術においては、蓋に折目よりも後方に突出する舌片が形成され、この舌片の下面に重なり合う固定片が形成される。そして、蓋の開放に伴い固定片が舌片により押し下げられ、蓋の開度が９０度を越えると、固定片の復元力により蓋が後傾方向に付勢され、この付勢力が折目において作用する閉鎖方向の力と均衡し、蓋の起立状態が保持されるようになっている（例えば、特許文献１参照。）。
【特許文献１】特開平１０−１８１７３９号公報
【発明の開示】
【発明が解決しようとする課題】
【０００４】
しかし、従来の紙箱においては、蓋を折目に沿って折り曲げて開いたときに、舌片を固定片に重なり合わせて蓋を起立状態に保持する構成のため、誤って手が蓋に軽く触れたときなどに、簡単に蓋が閉じてしまうという不具合があった。また、固定片の部分には切込みを設けなければならず、折り曲げ、貼り合わせの工程が増加していた。
【課題を解決するための手段】
【０００５】
本発明の解決しようとする課題は以上の如くであり、次にこの課題を解決するための手段を説明する。
【０００６】
即ち、請求項１においては、紙箱の６面のうちの上側壁に、一辺を残して切目を設けて蓋を形成し、該蓋の基端側縁の一辺を折目として、該折目に沿って折曲可能に形成した蓋を備える紙箱において、前記蓋に折目よりも後方へ突出する左右一対の舌片を形成し、各舌片を係止する係止片を上側壁に形成したものである。
【０００７】
請求項２においては、前記上側壁に設けた折目を後方に突出する平面視円弧状に形成したものである。
【発明の効果】
【０００８】
本発明の効果として、以下に示すような効果を奏する。
【０００９】
請求項１においては、紙箱の６面のうちの上側壁に、一辺を残して切目を設けて蓋を形成し、該蓋の基端側縁の一辺を折目として、該折目に沿って折曲可能に形成した蓋を備える紙箱において、前記蓋に折目よりも後方へ突出する左右一対の舌片を形成し、各舌片を係止する係止片を上側壁に形成したことから、蓋を開けるべく折目に沿って折り曲げたときに、舌片を係止片に係止させて、上側壁に蓋を確実に起立状態に保つことができる。そのため、例えば手が軽く触れた程度では蓋が閉じることはない。また、切り込みのみの構成で舌片と係止片を構成できるので、製作が簡単で、更なる折り曲げ工程や貼り付け工程が不要であり、安価に起立状態するための部材を構成できる。
【００１０】
請求項２においては、前記上側壁に設けた折目を後方に突出する平面視円弧状に形成したことから、蓋を開いたときに舌片が僅かに前方に突出し、係止片に係止しやすくなる。また、蓋を開いたときに折目の両側が持ち上げられるため、閉じ方向へ戻す力が従来の折目が直線状のときに比べて大きくなり、繰り返し蓋を開け閉めしても中途半端な開け位置で止まることもない。
【発明を実施するための最良の形態】
【００１１】
次に、発明の実施の形態を説明する。
図１は本発明の一実施例に係る紙箱の紙箱用台紙を示す図、図２は紙箱の組立状態を示す斜視図、図３は紙箱の開放状態を示す斜視図、図４は紙箱の閉鎖状態を示す斜視図、図５は紙箱の平面図、図６は係止部の斜視図である。
【００１２】
本発明の一実施例に係る紙箱１は一枚の紙箱用台紙１ａから構成されている。紙箱の６面のうち図２に示すように、上面を上側壁１６、蓋２８を開放する側を前として、前面を前側壁２２、後面を後側壁６、左右の側面を左右側壁１９・２０、底面を底板２として説明する。
【００１３】
図１に示すように、該台紙１ａには、四角形状の底板２と、底板２の前側縁に折目３を介して連設される前接合片４と、底板２の左右側縁に折目７・８を介して連設される左右接合片９・１０と、底板２の後側縁に折目５を介して連設される後側壁６と、後側壁６の左右側縁に折目１１・１２を介して連設される左右折曲片１３・１４と、後側壁６の後側縁に折目１５を介して連設される上側壁１６と、上側壁１６の左右側縁に折目１７・１８を介して連設される左右側壁１９・２０と、上側壁１６の後側縁に折目２１を介して連設される前側壁２２と、前側壁２２の左右側縁に折目２３・２４を介して連設される左右折曲片２５・２６とが備えられている。
【００１４】
また、前記台紙１ａには、上側壁１６から前側壁２２にわたって一辺を残して略Ｕ字型に切目２７が点線状に設けられ、該切目２７で囲まれた部分が蓋２８とされている。そして、該蓋２８の基端側縁の一辺が折目２９とされ、図５に示すように、該折目２９が後方（開放側と反対方向の後側壁６側）に突出する平面視円弧状に形成されている。該折目２９には他の折目と同様に押し型等で線状に窪みを形成して折り曲げ易くし、更に、該折目２９には蓋２８を千切って取り去ることが可能なように目の粗い切目を施している。
【００１５】
蓋２８の基端側縁の両側部、つまり、前記折目２９の両側には、折目２９よりも後側壁６側へ突出する一対の舌片３１・３２が形成され、該舌片３１・３２の両外側に該舌片３１・３２を係止するための一対の係止片３３・３４が上側壁１６に形成されている。該舌片３１・３２と係止片３３・３４は切り込みにより同時に形成され、舌片３１・３２の外側の凹部が上側壁１６において凸状の係止片３３・３４として形成され、両者は蓋２８を折り曲げることにより現出する。
【００１６】
前記係止片３３・３４は折目２９の左右略延長線上に配置され、舌片３１・３２に隣接して切目２７よりも内側（蓋２８側）に突出するように形成されている。詳細に説明すると、折目２９の両端の左右側方に係止片３３・３４が位置し、折目２９の両側端は係止片３３・３４の前端（前側壁２２側の端部）よりも後方（後側壁６側）に位置させて、蓋２８を折り曲げたときに舌片３１・３２と係止片３３・３４が重なるようにしている。
【００１７】
また、蓋２８の先端に係止片３５が形成されるとともに、該係止片３５を差込可能とする差込孔３６が前接合片４に形成されている。
【００１８】
このように構成した台紙１ａを箱状に組み立てる場合、底板２の前後側縁に連設される前接合片４と後側壁６とをそれぞれ折目３・５に沿って内側に折り曲げ、上側壁１６を折目１５に沿って折り曲げ、更に前側壁２２を折目２１に沿って折り曲げて、その内側に配置した前接合片４に接着剤又は両面テープなどで貼り付ける。そして、後側壁６の左右折曲片１３・１４を折目１１・１２に沿って内側に折り曲げるとともに、前側壁２２の左右折曲片２５・２６を折目２３・２４に沿って折り曲げ、続いて底板２の左右接合片９・１０をそれぞれ折目７・８に沿って内側に折り曲げて前記折曲片１３・１４・２５・２６に重ね合わせ、最後に上側壁１６の左右側壁１９・２０を折目１７・１８に沿って折り曲げて、その内側に配置した接合片９・１０に接着剤又はテープなどで貼り付けることで、図２に示すように、紙箱１が組立状態に構成される。
【００１９】
そして、図３に示すように、蓋２８を切目２７に沿って前側壁２２及び上側壁１６から切り離し、折目２９に沿って折り曲げて起立させることで、紙箱１が開放状態となる。このようにして蓋２８を開く際、舌片３１・３２も蓋２８に伴って傾動し、蓋２８の開度が１８０度を越えると、舌片３１・３２が係止片３３・３４を乗り越えて、その下方から上方へと移動する。これにより、蓋２８が閉じ方向へ移動しても、図６に示すように、舌片３１（３２）が係止片３３（３４）に係止され、蓋２８が起立した状態に保持される。
【００２０】
蓋２８を後上方へ折り曲げるとき、折目２９が後方に突出する円弧状に形成しているため、折目２９両側に位置する舌片３１・３２は上方へ持ち上げられる。つまり、蓋２８の回動支点は左右中央が低く、左右両側は若干高くなるため、舌片３１・３２先端が係止片３３・３４に近づき乗り上げることで係合するようになる。さらに、舌片３１・３２を構成する切目端の位置は折目２９の両端と一致し、蓋２８を持ち上げると折目２９に沿って折り曲げられるが、この折り曲げ時に蓋２８の回動支点は切目端よりも後方となる。つまり、折り曲げるときに切目端より更に前方に台紙を破りながら曲げることはない。よって、回動支点が係止片３３・３４の後部位置となり、蓋２８の回動時に舌片３１・３２と係止片３３・３４が平面視で重なり、１８０度を越えると、舌片３１・３２が係止片３３・３４を乗り越えることになる。
【００２１】
また、舌片３１・３２を係止片３３・３４に係止させて、蓋２８を起立させた状態から、舌片３１・３２を係止片３３・３４の下方へと移動させて係止状態を解除し、蓋２８を折目２９に沿って折り曲げ、その先端に形成した係止片３５を前接合片４に形成した差込孔３６に差し込むことで、図４に示すように、紙箱１が閉鎖状態となる。
【００２２】
以上のように、紙箱１の６面のうちの上側壁１６に、一辺を残して切目２７を設けて蓋２８を形成し、該蓋２８の基端側縁の一辺を折目２９として、該折目２９に沿って折曲可能に形成した蓋２８を備える紙箱１において、前記蓋２８に折目２９よりも後方へ突出する左右一対の舌片３１・３２を形成し、各舌片３１・３２を係止する係止片３３・３４を上側壁１６に形成したので、蓋２８を開けるべく折目２９に沿って折り曲げたときに、舌片３１・３２を係止片３３・３４に係止させて、上側壁１６に蓋２８を確実に起立状態に保つことができる。そのため、例えば手が軽く触れた程度では蓋が閉じることはない。また、切り込みのみの構成で舌片３１・３２と係止片３３・３４を構成できるので、製作が簡単で、更なる折り曲げ工程や貼り付け工程が不要であり、安価に起立状態するための部材を構成できる。
【００２３】
また、前記上側壁１６に設けた折目２９を後方に突出するように平面視円弧状に形成したので、蓋２８を開いたときに舌片３１・３２が僅かに前方に突出し、係止片３３・３４に係止しやすくなる。また、蓋２８を開いたときに折目２９の両側が持ち上げられるため、閉じ方向へ戻す力が従来の折目が直線状のときに比べて大きくなり、繰り返し蓋２８を開け閉めしても中途半端な開け位置で止まることもない。
【図面の簡単な説明】
【００２４】
【図１】本発明の一実施例に係る紙箱の紙箱用台紙を示す図。
【図２】紙箱の組立状態を示す斜視図。
【図３】紙箱の開放状態を示す斜視図。
【図４】紙箱の閉鎖状態を示す斜視図。
【図５】紙箱の平面図。
【図６】係止部の斜視図。
【符号の説明】
【００２５】
１    紙箱
１６    上側壁
２７    切目
２８    蓋
２９    折目
３１    舌片
３２    舌片
３３    係止片
３４    係止片
【図１】
2006036350.tif 000003
【図２】
2006036350.tif 000004
【図３】
2006036350.tif 000005
【図４】
2006036350.tif 000006
【図５】
2006036350.tif 000007
【図６】
2006036350.tif 000008